(57)【要約】【課題】掃除口部に装着される蓋体の止水性能を高め、高圧洗浄時に掃除口部から水漏れすることを防止する掃除口継手を提供する。【解決手段】円筒状に形成され掃除口部を有する継手本体と、前記掃除口部に対して装着される蓋体と、前記掃除口部の内周面と前記蓋体の前記掃除口部に挿入する挿入部の外周面との間に設けられる環状のシール部材とを備える掃除口継手であって、前記挿入部の前記シール部材よりも前記継手本体の中心側の外周面に前記継手本体の中心に漸次近づくように傾斜して形成された少なくとも１周の長さを有するリブを備え、前記掃除口部の内周面に前記継手本体の中心に漸次近づくように傾斜して形成され前記リブに嵌合する少なくとも１周の長さを有する溝を備える。【選択図】図２
2019060458.tif 000002
【特許請求の範囲】
【請求項１】
円筒状に形成され掃除口部を有する継手本体と、前記掃除口部に対して装着される蓋体と、前記掃除口部の内周面と前記蓋体の前記掃除口部に挿入する挿入部の外周面との間に設けられる環状のシール部材とを備える掃除口継手であって、
前記挿入部の前記シール部材よりも前記継手本体の中心側の外周面に前記継手本体の中心に漸次近づくように傾斜して形成された少なくとも１周の長さを有するリブを備え、
前記掃除口部の内周面に前記継手本体の中心に漸次近づくように傾斜して形成され前記リブに嵌合する少なくとも１周の長さを有する溝を備えることを特徴とする掃除口継手。
【請求項２】
前記継手本体の外周面に形成されるリブは、３周以下であることを特徴とする請求項１記載の掃除口継手。
【請求項３】
前記リブは、台形ねじにより形成されることを特徴とする請求項１または２記載の掃除口継手。
【発明の詳細な説明】
【技術分野】
【０００１】
本発明は、排水管の一部に組み込まれる掃除口継手に関するものである。
【背景技術】
【０００２】
排水管の一部に組み込まれる掃除口継手は、円筒状に形成され掃除口部を有する継手本体を備え、蓋体が環状のシール部材を介して掃除口部に着脱可能に装着される。ここで蓋体の掃除口部への着脱作業を簡便に行うために、蓋体を掃除口部に差し込んで捻ることで装着および位置決めが完了するバヨネット方式の蓋体の採用が広がっている。
【０００３】
特許文献１には、バヨネット方式の蓋体を備える掃除口継手の一例が開示されている。この掃除口継手では、掃除口部の内周面に複数の略Ｌ字状の係合溝が設けられ、蓋体の外周面に複数の係合突起が設けられる。掃除口部に蓋体を装着するときには、係合溝と係合突起との位置を合わせて掃除口部に蓋体を挿入し、蓋体を掃除口部の軸周りに所定角度だけ回転させることで蓋体が固定される。ここでこの掃除口継手においては、掃除口部の内周面に受け面が設けられ、蓋体の外周面に段部が設けられる。そして、掃除口部に蓋体を装着した状態においては、シール部材が掃除口部の受け面と蓋体の段部との間に挟み込まれて掃除口部の軸方向に圧縮されることにより、掃除口部と蓋体との間の止水性が確保されている。
【先行技術文献】
【特許文献】
【０００４】
【特許文献１】特開２０１５−２００４０５号公報
【発明の概要】
【発明が解決しようとする課題】
【０００５】
ところでマンション等の建物内の排水管では、排水管内の付着物や詰まりを取るために、定期的に高圧洗浄機を用いた洗浄（掃除）が行われる。ここでバヨネット方式の蓋体を備える掃除口継手では、高圧洗浄機の洗浄ノズルから噴射される高圧の洗浄水が、掃除口部の内周面と蓋体の外周面との間の隙間を通ってシール部材に直接当たる構造となっていることから、高圧洗浄時において、高圧の洗浄水がシール部材を乗り越えて掃除口部から漏れる場合があった。
【０００６】
本発明の目的は、掃除口部に装着される蓋体の止水性能を高め、高圧洗浄時に掃除口部から水漏れすることを防止する掃除口継手を提供することである。
【課題を解決するための手段】
【０００７】
本発明の掃除口継手は、円筒状に形成され掃除口部を有する継手本体と、前記掃除口部に対して装着される蓋体と、前記掃除口部の内周面と前記蓋体の前記掃除口部に挿入する挿入部の外周面との間に設けられる環状のシール部材とを備える掃除口継手であって、前記挿入部の前記シール部材よりも前記継手本体の中心側の外周面に前記継手本体の中心に漸次近づくように傾斜して形成された少なくとも１周の長さを有するリブを備え、前記掃除口部の内周面に前記継手本体の中心に漸次近づくように傾斜して形成され前記リブに嵌合する少なくとも１周の長さを有する溝を備えることを特徴とする。
【０００８】
また本発明の掃除口継手は、前記継手本体の外周面に形成されるリブが３周以下であることを特徴とする。
【０００９】
また本発明の掃除口継手は、前記リブが台形ねじにより形成されることを特徴とする。
【発明の効果】
【００１０】
本発明によれば、掃除口部に装着される蓋体の止水性能を高め、高圧洗浄時に掃除口部から水漏れすることを防止する掃除口継手を提供することができる。
【図面の簡単な説明】
【００１１】
【図１】第１の実施の形態に係る掃除口継手の斜視図である。
【図２】第１の実施の形態に係る掃除口継手の縦断面図である。
【図３】第１の実施の形態に係る掃除口継手の蓋体の側面図である。
【図４】第２の実施の形態に係る掃除口継手の継手本体の斜視図である。
【図５】第２の実施の形態に係る掃除口継手の蓋体の側面図である。
【発明を実施するための形態】
【００１２】
以下、図面を参照して実施の形態に係る掃除口継手について説明する。図１は第１の実施の形態に係る掃除口継手の斜視図であり、図２は掃除口継手の縦断面図である。掃除口継手１０は、排水管の一部に組み込まれるもので、円筒状に形成される継手本体１１と、継手本体１１に形成されている掃除口部１３に対してねじ方式で装着される蓋体２０と、掃除口部１３の内周面と蓋体２０の掃除口部１３に挿入する挿入筒部（挿入部）２１の外周面との間に設けられる環状のシール部材（止水用Ｏリング）３０とを備えている。
【００１３】
継手本体１１は、主管部材１２と、主管部材１２の両端部に設けられ排水管を構成するパイプ（図示せず）が接続させるパイプ接続部１２ｐ，１２ｐを備えている。この実施の形態では、主管部材１２は、一方のパイプ接続部１２ｐと他方のパイプ接続部１２ｐとが直線的に接続されるストレート形状をなしているが、主管部材１２は湾曲または屈曲していてもよい。
【００１４】
掃除口部１３は、継手本体１１の軸線Ｌ１方向に対して直交する方向（軸線Ｌ２方向）に延びるように主管部材１２に形成されている。掃除口部１３の主管部材１２から離間した側の先端部１３ａの内周面には、掃除口部１３の管路の内径が拡大された被係合部１４が形成されている。被係合部１４の主管部材１２側には軸線Ｌ２方向に直交する受け面１６が形成されている。また掃除口部１３の受け面１６よりも主管部材１２（継手本体１１）の中心側の内周面には、主管部材１２に漸次近づくように傾斜して、少なくとも１周の長さを有する溝１５が形成されている。
【００１５】
蓋体２０は、挿入筒部２１、係合部２２、フランジ部２３及び閉塞板２４を備えている。挿入筒部２１は、円筒状をなし掃除口部１３の管路の内径よりもわずかに小さい外径を有している。
【００１６】
図３に示すように挿入筒部２１の外周面には、主管部材１２の中心に漸次近づくように傾斜して形成された少なくとも１周の長さを有し、溝１５に螺合または嵌合するリブ２５が形成されている。係合部２２は、挿入筒部２１よりも外周側に拡径した円筒状をなしており、被係合部１４に係合する。
【００１７】
閉塞板２４は、蓋体２０を掃除口部１３に装着して閉状態としたときに、主管部材１２の主管部材１２の内周面に連続するよう湾曲して形成されている。
【００１８】
蓋体２０の挿入筒部２１の内側には、蓋体２０を開閉する際に作業者が掴むための摘まみ部２６が設けられている。また蓋体２０は、フランジ部２３の挿入筒部２１の中心軸を挟んで対向する位置に工具係合溝２７を備えている。
【００１９】
掃除口継手１０の掃除口部１３に蓋体２０を装着するには、掃除口部１３の受け面１６と係合部２２の主管部材１２側の面との間にシール部材３０を介在させた状態で、蓋体２０の挿入筒部２１を掃除口部１３内に挿入し係合部２２を被係合部１４に係合させる。
【００２０】
そして作業者が摘まみ部２６を把持して蓋体２０を掃除口部１３の軸線Ｌ２回りに回転させることにより、リブ２５が溝１５に螺合または嵌合し、蓋体２０が掃除口部１３に対して装着される。この場合にシール部材３０が掃除口部１３の受け面１６と蓋体２０係合部２２の主管部材１２側の面との間に挟み込まれて掃除口部１３の軸方向に圧縮されることにより、掃除口部１３と蓋体２０との間の止水性が確保される。
【００２１】
蓋体２０を閉状態とすると、蓋体２０の閉塞板２４が、主管部材１２の内周面に連続し、主管部材１２内に突出しないように構成されている。これにより、掃除口継手１０の蓋体２０の部分で、汚水が溜まったり主管部材１２内の排水の流れに損失を与えるのを防止することができる。
【００２２】
蓋体２０を掃除口部１３から取り外すには、作業者が摘まみ部２６を把持して蓋体２０を上記とは反対方向に回転させ、蓋体２０を掃除口部１３から取り外す。
【００２３】
高圧洗浄機によって掃除口継手１０が接続されている排水管の洗浄を行うときには、先端に洗浄ノズルが設けられた高圧洗浄ホースが排水管内に挿入される。洗浄ノズルは、例えば高圧洗浄ホースに対して軸周りに回転可能とされており、元圧が１５〜３０ＭＰａの高圧の洗浄水を排水管の内面に対して回転しながら噴射する。
【００２４】
高圧洗浄時に掃除口部１３の内周面と蓋体２０の外周面との間に向けて噴射された洗浄水は、溝１５に螺合または嵌合しているリブ２５の主管部材１２側の面により受けられ減速する。ここでリブ２５は、挿入筒部２１の外周面に少なくとも１周の長さで形成されているため、全ての洗浄水が減速され、掃除口部１３の内周面と蓋体２０の外周面との間の隙間を通過しシール部材３０に到達する。
【００２５】
即ちリブ２５により水圧が弱められた洗浄水は、シール部材３０を乗り越えることがなく、掃除口部１３の内側面と蓋２０の外周面との間の止水性能を高め掃除口部１３からの水漏れを防止することができる。したがって高圧洗浄機を用いて排水管を洗浄するときの水漏れを防止することができる。
【００２６】
次に第２の実施の形態に係る掃除口継手について説明する。図４は第２の実施の形態に係る掃除口継手の継手本体の縦断面図であり、図５は掃除口継手の蓋体の側面図である。第２の実施の形態に係る掃除口継手４０は、第１の実施の形態に係る掃除口継手１０における、掃除口部１３に装着される蓋体２０の止水構造を台形ねじを用いるものに変更したものであり、その他の点については、第１の実施の形態に係る掃除口継手１０と同一の構成を有する。従って第２の実施の形態に係る掃除口継手４０は、第１の実施の形態に係る掃除口継手１０の構成と同一の構成に、第１の実施の形態の掃除口継手１０の構成に付した符号と同一の符号を付して説明を行う。
【００２７】
掃除口継手４０は、掃除口部１３の内周面の受け面１６よりも主管部材１２（継手本体１１）の中心側に、主管部材１２に漸次近づくように傾斜して、１周以上３周以下の長さを有する溝１７を備えている。
【００２８】
掃除口継手４０は、蓋体２０の挿入筒部２１の外周面に、主管部材１２の中心に漸次近づくように傾斜して形成された１周以上３周以下の長さを有し、溝１７に螺合または嵌合する台形ねじ２８を備えている。ここで台形ねじ２８の係合部２２側の終端部は、シール部材３０を配置可能とするために、係合部２２の主管部材１２側の面と一定の間隔だけ離れた位置で挿入筒部２１の外周面に対して垂直になるよう金型で成形または切削加工されている。
【００２９】
従来のネジは尖って薄いため、高圧洗浄により破壊される恐れがあるが、台形ねじ２８はＪＩＳ  Ｂ  ０２１７に準拠した断面が台形であり、台形にしたことでねじ側面のテーパ面で洗浄水の勢いが減衰され、台形ねじの底部は厚くなっており高圧の洗浄水でねじ部が破壊される恐れが無い。また、蓋体の台形ねじの頂部と掃除口部１３との間には挿入を容易にするために隙間があり、この隙間から侵入する洗浄水は勢いが減衰されているため、シール部材３０で容易に止水される。台形ねじ２８は、例えば１つのねじ山のピッチが２．０〜３．５ｍｍ、ねじ山の高さが２．０〜３．５ｍｍとされ、ねじ山側面と、蓋体２０の中心軸とがなす角度が７５°とされている。
【００３０】
掃除口継手４０の掃除口部１３に蓋体２０を装着するには、掃除口部１３の受け面１６と係合部２２の主管部材１２側の面との間にシール部材３０を介在させた状態で、蓋体２０の挿入筒部２１を掃除口部１３内に挿入し係合部２２を被係合部１４に係合させる。
【００３１】
そして作業者が摘まみ部２６を把持して蓋体２０を掃除口部１３の軸線Ｌ２回りに回転させることにより、台形ねじ２８が溝１７に螺合または嵌合し、蓋体２０が掃除口部１３に対して装着される。この場合にシール部材３０が掃除口部１３の受け面１６と蓋体２０係合部２２の主管部材１２側の面との間に挟み込まれて掃除口部１３の軸方向に圧縮されることにより、掃除口部１３と蓋体２０との間の止水性が確保される。
【００３２】
蓋体２０を掃除口部１３から取り外すには、作業者が摘まみ部２６を把持して蓋体２０を上記とは反対方向に回転させ、蓋体２０を掃除口部１３から取り外す。
【００３３】
高圧洗浄機によって掃除口継手４０が接続されている排水管の洗浄を行うときには、先端に洗浄ノズルが設けられた高圧洗浄ホースが排水管内に挿入される。洗浄ノズルは、例えば高圧洗浄ホースに対して軸周りに回転可能とされており、元圧が１５〜３０ＭＰａの高圧の洗浄水を排水管の内面に対して回転しながら噴射する。
【００３４】
高圧洗浄時に掃除口部１３の内周面と蓋体２０の外周面との間に向けて噴射された洗浄水は、溝１７に螺合または嵌合している台形ねじ２８の主管部材１２側の面により受けられ減速する。ここで台形ねじ２８は、挿入筒部２１の外周面に１周以上３周以下の長さで形成されているため全ての洗浄水が減速され、掃除口部１３の内周面と蓋体２０の外周面との間の隙間を通過しシール部材３０に到達する。従ってシール部材３０に減速されていない洗浄水が直接当たることがなく、台形ねじ２８により水圧が弱められ無圧となった洗浄水がシール部材３０に到達するため、シール部材３０を乗り越えることがなく、掃除口部１３の内側面と蓋２０の外周面との間の止水性能を高め掃除口部１３からの水漏れを防止することができる。したがって高圧洗浄機を用いて排水管を洗浄するときの水漏れを防止することができる。
【００３５】
また挿入筒部２１の外周面に台形ねじ２８を設けたことにより、洗浄水が高圧であっても台形ねじ２８が破壊されるのを防止することができる。
【００３６】
更に台形ねじ２８の長さを３周以下とすることにより蓋体２０の寸法を小さくでき蓋体２０の装着作業を容易にすることができる。
【符号の説明】
【００３７】
１０，４０…掃除口継手、１１…継手本体、１２…主管部材、１３…掃除口部、１４…被係合部、１５、１７…溝、２０…蓋体、２１…挿入筒部、２２…係合部、２３…フランジ部、２４…閉塞板、２５…リブ、２８…台形ねじ、３０…シール部材
【図１】
2019060458.tif 000003
【図２】
2019060458.tif 000004
【図３】
2019060458.tif 000005
【図４】
2019060458.tif 000006
【図５】
2019060458.tif 000007